(57)【要約】  本発明は着座式下半身運動装置に関し、底に置かれるベースプレート（１０）と；このベースプレート（１０）の一側に一端が回転可能にピン結合され、他端にはそれぞれ踏み台（２２ａ、２２ｂ）が附着された複数の回転フレーム（２０ａ、２０ｂ）と；上記ベースプレート（１０）と回転フレーム（２０ａ、２０ｂ）との間に設置されて、外力によって回転フレーム（２０）が押されて、ベースプレート（１０）側に回転され、外力が除去されると、回転フレーム（２０）を原位置に押し上げる複数の反発部材（３０ａ、３０ｂ）と；上記反発部材（３０ａ、３０ｂ）の反発力を調節して踏み台（２２ａ、２２ｂ）の踏力を調整する踏力調節手段（４０）と；を含み、上記踏み台（２２ａ、２２ｂ）の間の幅を調節する踏み台調節具（５０）及び運動装置を使わない場合、回転フレーム（２０ａ、２０ｂ）をベースプレート（１０）の側に密着して固定させるラッチ（６０）をさらに含むことができる。
2010536466.tif 000002
【特許請求の範囲】
【請求項１】
底に置かれるベースプレート（１０）と；このベースプレート（１０）の一側に一端が回転可能にピン結合され、他端にはそれぞれ踏み台（２２ａ、２２ｂ）が附着された複数の回転フレーム（２０ａ、２０ｂ）と；上記ベースプレート（１０）と回転フレーム（２０ａ、２０ｂ）との間に設置されて、外力によって回転フレーム（２０）が押されて、ベースプレート（１０）の側に回転され、外力が除去されると、回転フレーム（２０）を原位置に押し上げる複数の反発部材（３０ａ、３０ｂ）と；上記反発部材（３０ａ、３０ｂ）の弾性を調節して踏み台の踏力を調整する踏力調節手段（４０）と；を含むことを特徴とする着座式下半身運動装置。
【請求項２】
上記踏み台（２２ａ）は、踏み台調節具（５０）によって前後に位置移動されて、使用者の足の大きさに合わせるように調節されることを特徴とする請求項１に記載の着座式下半身運動装置。
【請求項３】
上記回転フレーム（２０ａ、２０ｂ）の下端をベースプレート（１０）の方に密着して固定させるラッチ（６０）をさらに含むことを特徴とする請求項１に記載の着座式下半身運動装置。
【請求項４】
上記踏み台調節具（５０）は、踏み台（２２ａ）の下部に回転可能に結合される移動体（５２）と；この移動体（５２）の下部に前後方向に貫通して形成されたナット（５４）と；上記回転フレーム（２０ａ）の後方に露出して設置されて、上記ナット（５４）に軸結合される摘み附着型ボルト（５６）と；を含むことを特徴とする請求項２に記載の着座式下半身運動装置。
【請求項５】
上記ラッチ（６０）は両外側に把持部（６２）が形成され、中間部には上記回転フレーム（２０ａ）の後端下部に形成された係止部（２３）が係止される係止突起（６４）が形成され、上記ベースプレート１０の中間部に形成されたガイド溝（６１）に沿って前後方向に位置の移動が可能に設置され、上記ベースプレート（１０）には上記回転フレーム（２０ａ）の係止部（２３）が挿入される長溝（６６）が前後方向に長く形成されることを特徴とする請求項３に記載の着座式下半身運動装置。
【請求項６】
上記踏力調節手段（４０）は上記反発部材（３０ａ、３０ｂ）の一端が嵌められた固定台（４１）と、この固定台（４１）の後方に附着されたボルト（４２）と；上記ベースプレート（１０）の底面に形成されたガイド溝（４３）と；このガイド溝（４３）の後壁（４４）に穿孔された孔（４５）と；この孔（４５）の外側で上記ボルト（４２）にねじ結合される摘みナット（４６）と；を含み、上記摘みナット（４６）を回転させることによって、ボルト（４２）が附着された固定台（４１）が上記ガイド溝（４３）の前後に位置移動されることを特徴とする請求項１に記載の着座式下半身運動装置。
【請求項７】
ベースプレート（１０`）と；
上記ベースプレート（１０`）の前方の上部に水平に附着される固定軸（２０`）と；
上記固定軸（２０`）の左、右両側にそれぞれ回転可能に結合されるペダル（３０`）と；
上記固定軸（２０`）に嵌められ、両端がそれぞれ上記ペダル（３０`）とベースプレート（１０`）に載置されて、ペダル（３０`）が上げられた状態を維持するようにするトーションスプリング（４０ａ`、４０ｂ`）と；
を含むことを特徴とする着座式下半身運動装置。
【請求項８】
上記左側ペダル及び右側ペダル（３０`）は長さが相対的に長い第１ペダル（３０ａ`）と長さが相対的に短い第２ペダル（３０ｂ`）とで構成され、第１ペダル（３０ａ`）の上部には足裏の後部が載せられる後踏み台（３１`）が回転可能に附着され、第２ペダル（３０ｂ`）の後方上部には足裏の前部分が載せられる前踏み台（３２`）が回転可能に附着され、上記第１ペダル（３０ａ`）と第２ペダル（３０ｂ`）の先端には固定軸（２０`）に分離可能に結合される軸ボルト（２２`）に嵌められる孔（３４`、３５`）が側方向に穿孔され、上記軸ボルト（２２`）の先端には雄ねじ部（２３`）が形成され、上記固定軸（２０`）には雌ねじ部（２１`）が形成されることを特徴とする請求項７に記載の着座式下半身運動装置。
【請求項９】
上記前踏み台及び後踏み台（３１`、３２`）には足裏の指圧ツボを押すための指圧突起（３３`）が附着され、この指圧突起（３３`）はスプリング（３６`）の弾性によって指圧力が調節可能にすることを特徴とする請求項８に記載の着座式下半身運動装置。
【請求項１０】
上記第１ペダル（３０ａ`）とベースプレート（１０`）との間に設置されるトーションスプリング（４０ａ`）は、ベースプレート（１０`）の内側に備えられた弾性力調節手段（５０`）によって多段階に弾性力が調節されて運動強度を調節することができることを特徴とする請求項８に記載の着座式下半身運動装置。
【請求項１１】
上記弾性力調節手段（５０`）は上端に摘み（５１`）が附着され、下端にギア部（５２`）が形成されたレバー（５３`）と、このレバー（５３`）のギア部（５２`）に噛み合うラックギア部（５４`）が一側に形成され、他側には上記トーションスプリング（４０ａ`）の一端を支える支持部（５５`）が階段状に形成されたスライダー（５６`）とを含むことを特徴とする請求項１０に記載の着座式下半身運動装置。
【請求項１２】
上記後踏み台（３１`）は上板（３１ａ`）と中間板（３１ｂ`）及び下板（３１ｃ`）で構成され、上記上板（３１ａ`）には指圧突起（３３`）とスプリング（３６`）が設置される突起設置溝（３１ｄ`）が形成され、上板（３１ａ`）と中間板（３１ｂ`）は弾性突起（３１１）と係止突起（３１２）によって分離可能に結合され、中間板（３１ｂ`）が被せられた上板（３１ａ`）は下板（３１ｃ`）にボルト（３１ｅ`）で固定されることを特徴とする請求項９に記載の着座式下半身運動装置。
【発明の詳細な説明】
【技術分野】
【０００１】
本発明は室内で簡単に運動することができるようにした着座式下半身運動装置に関し、さらに詳しくは、椅子に座って長い時間生活する受験生や事務職員が椅子に座った状態で随時に下半身の筋力運動ができるようにするとともに、足裏の経穴を刺激することができるようにすることにって、血液循環及び新陳代謝を促進することができるようにして、運動不足による体力の低下と集中力の減少及び体の免疫力の低下などのような各種の弊害を予防することができるようにしたものであり、特に、その構造を簡単にし、部品数を最小化して、低費用で製作及び普及することができ、使用者の足の大きさに合わせるように踏み台の位置を容易に調節することができ、運動負荷を多様に調節することができるようにすることによって、多くの人が共用することができるようにした。
【背景技術】
【０００２】
一般に、受験生や事務職員などはほとんど一日中椅子に座って生活することにより、運動不足による各種骨筋肉系及び内臓疾患が発生するとともに、特に、下半身の筋肉が不実になり、女性の場合には、下半身と上半身との間の血行が円滑でなくて、下半身肥満が誘発されたりする。しかし、このような受験生や事務職員が昼間に別途時間を割いてヘルスクラブに行ったり、野外に出かけて運動をすることは現実的に不可能であるため、日常生活の中で日常の動作や生活における動作を運動に昇華させれば、ある程度位健康の増進に役に立つことができる。
【０００３】
本出願人の調査によれば、このような受験生や事務職員の運動不足を解消するために、椅子に座った状態でできる従来技術による運動機構または足マッサージ器は、電動及び振動式の足マッサージ器である大韓民国公開特許第１９９６−００１６８５８号（１９９６．０６．１７．公開）、座板を偏心回転させて腰の運動ができるようにした「運動用回転椅子」である大韓民国実用新案登録第２８４５２２号（２００２．０７．２３．  登録）、両足を指圧器に載せて交互に繰り返して上下に作動する「指圧器」である大韓民国実用新案登録第３４１８６４号（２００４．０２．０３．  登録）、踏み台の上に足を載せると電力によって作動するソレノイド型アクチュエーターによって指圧突起が上下に昇降しながら足裏を指圧することができるようにする「足指圧装置」である大韓民国公開特許第２００４−００４０９８５号（２００４．０５．１３．公開）  及び椅子の足自体に回転式指圧突起を附着した形態の「足裏指圧部を形成した椅子」である大韓民国公開特許第２００４−０１０５５２７号（２００４．１２．１６．公開）  などがある。
【０００４】
一方、上記従来技術による運動装置は、単純なマッサージ機能のみを有したり、または遊戯機能が主になっていて運動效果が大きくなく、運動不足の解消に特に役に立たない問題点があり、電気を使う方式のマッサージは騷音が発生して、むしろ勉強に邪魔になったり、業務の集中を妨害することもあった。
【０００５】
本出願人は、上記問題点を解消するために、大韓民国登録特許第５１８９２４号（登録年月日２００５．０９．２０）に「足裏指圧兼用着席式下半身運動装置」を開発したことがあり、これはベースプレートの一側に複数の回転フレームを回転可能に設置し、この回転フレームとベースプレートとの間に圧縮コイル型スプリングを設置したタイプに形成されていて、その構成部品数が多いだけでなく、内部の複雑な構成を隠すために、外部にベローズのような形態のゴム膜からなるカバーを被せなければならないため、全体的に製造コストが高くなり、これによって製品の費用が上昇する問題点があった。
【０００６】
また、本出願人は大韓民国登録特許第７２０３９１号（登録年月日２００７．０５．１５）に「着座式下半身運動装置」を開発したことがあるが、これは上記の特許第５１８９２４号を改良してその構造を簡単にし、部品数を最小化することができるようにした。
【０００７】
一方、大韓民国登録特許第７２０３９１号は、使用者の足の大きさに合わせて踏み台の位置移動が可能な構造に製作したが、これを調節するためには別途の工具を用いて、踏み台の両側に附着されたボルトまたはねじ形態の調節具を同一に変位するように調節しなければならないという煩雑さがあり、繰り返して使用することによって、調節具の固定状態が瓦解されて踏み台が前後に遊動される虞もあった。
【０００８】
また、大韓民国登録特許第７２０３９１号は、踏み台に踏力を付与するためのスプリングの弾性を調節することができなくて、使用者による運動負荷をいちいち合わせることが不可能であるという限界があった。
【発明の概要】
【発明が解決しようとする課題】
【０００９】
本発明は上記のような従来技術の問題点を解決するために創出されたもので、本発明の目的は、使用者の足の大きさに合わせるように、踏み台の位置を容易に調節することができるようにするとともに、使用者の体力によって運動負荷を異なるように調節することができる改善された構造の椅子に座ってする下半身運動装置を提供することにある。
【００１０】
本発明の他の目的は、使用、保管性及び運動強度の調節の容易性、また構造的により単純化させて、部品数も減らして、その製造費用を低減することができる改善された構造の下半身運動装置を提供することにある。
【課題を解決するための手段】
【００１１】
上記の目的を実現するための本発明の好ましい一実施形態による下半身運動装置は、底に置かれるベースプレートと；このベースプレートの一側に一端が回転可能にピン結合され、他端にはそれぞれ踏み台が附着された複数の回転フレームと；上記ベースプレートと回転フレームとの間に設置されて、外力によって回転フレームが押されてベースプレート側に回転され、外力が除去されると、回転フレームを原位置に押し上げる複数の反発部材と、上記反発部材の弾性を調節して、踏み台の踏力を調整する踏力調節手段と；を含むことをその特徴とする。
【００１２】
本発明の好ましい一特徴として、上記踏み台は踏み台調節具によって前後に位置が移動されて、使用者の足の大きさに合わせるように調節され、また、上記踏み台の調節具は、踏み台の下部に回転可能に結合される移動体と；この移動体の下部に前後方向に貫通して形成されたナットと；上記回転フレームの後方に露出して設置されて、上記ナットに軸結合される摘み附着型ボルトと；を含むことにある。
【００１３】
本発明の好ましい他の特徴として、上記回転フレームの下端をベースプレートの方に密着して固定させるラッチをさらに含み、この時の上記ラッチは両外側に把持部が形成され、中間部には上記回転フレームの後端下部に形成された係止部か係止される係止突起が形成されて、上記ベースプレートの中間部に形成されたガイド溝に沿って前後方向に位置の移動が可能に設置され、上記ベースプレートには上記回転フレームの係止部が挿入される長溝が前後方向に長く形成されたことにある。
【００１４】
本発明の好ましいまた他の特徴として、上記踏力調節手段は、上記反発部材の一端が嵌められた固定台と；この固定台の後方に附着したボルトと；上記ベースプレートの底面に形成されたガイド溝と；このガイド溝の後壁に穿孔された孔と；この孔の外側で上記ボルトにねじ結合される摘みナットと；を含み、上記摘みナットを回転させることによって、ボルトが附着された固定台が上記ガイド溝の前後に位置移動されることにある。
【００１５】
上記の目的を実現するための本発明の他の実施形態による着座式下半身運動装置は、ベースプレートと；上記ベースプレートの前方の上部に水平に附着される固定軸と；上記固定軸の左、右両側にそれぞれ回転可能に結合されるペダルと；上記固定軸に嵌められて、両端がそれぞれ上記ペダルとベースプレートに載置されて、ペダルが上げられた状態を維持するようにするトーションスプリングと；を含むことをその特徴とする。
【００１６】
本発明の好ましい一特徴として、上記左側ペダル及び右側ペダルは、長さが相対的に長い第１ペダルと、長さが相対的に短い第２ペダルとで構成され、第１ペダルの上部には足裏の後部が載せられる後踏み台が回転可能に附着され、第２ペダルの後方の上部には足裏の前部分が載せられる前方の踏み台が回転可能に附着され、上記第１ペダルと第２ペダルの先端には、固定軸に分離可能に結合される軸ボルトに挿入される孔が軸方向に穿孔され、上記軸ボルトの先端には雄ねじ部が形成され、上記固定軸には雌ねじ部が形成されることにある。
【００１７】
本発明の好ましい他の特徴として、上記の前踏み台及び後踏み台には、足裏の指圧ツボを押すための指圧突起が附着され、この指圧突起は、スプリングの弾性によって指圧力が調節可能になることにある。
【００１８】
本発明の好ましい他の特徴として、上記第１ペダルとベースプレートとの間に設置されるトーションスプリングは、ベースプレートの内側に備えられた弾性力調節手段によって、多段階に弾性力が調節されて、運動強度を調節することができるようにし、この時の上記弾性力調節手段は、上端に摘みが附着され、下端にギア部が形成されたレバーと；このレバーのギア部に噛み合うラックギア部が一側に形成され、他側には上記トーションスプリングの一端を支える支持部が階段状に形成されたスライダーと；を含むことにある。
【００１９】
本発明の好ましい他の特徴として、上記後方の踏み台は、上板、中間板及び下板で構成され、上記上板には指圧突起とスプリングが設置される突起設置溝が形成され、上板と中間板は弾性突起と係止突起によって分離可能に結合され、中間板が被らせられた上板は下板にボルトで固定されることにある。
【発明の効果】
【００２０】
本発明は、使用者が椅子に座って長い時間勉強したり、事務の途中、しばらく休んだり、眠い場合、腰を真っ直ぐ伸ばしてきちんと座った状態で両足をそれぞれの運動装置の上の分割型踏み台に載せて順次に力を加えて交互または同時に押せばよいが、分割型踏み台を順次に押すことによって、足裏の前部分である五つ足指、中間部及び踵部全体を動くためのあらゆる筋肉と、足首を動かすためのあらゆる下半身の筋肉及び足を押すためのあらゆる筋肉が使われるので、下半身運動が效果的にできて、運動不足による各種弊害を予防して、精神を集中させることによって、勉強及び業務の效率を高めることができる。
【００２１】
また、下半身運動と同時に踏み台の上の指圧突起によって足裏の経穴が刺激されるので、体内の多くの臓器の活性化はもちろん、血液循環を促進して使用者の健康の増進を図ることができ、各種疾患も自然に治癒することもでき、特に使用者の足の大きさに合わせるように踏み台の位置を容易に調節することができて、家族揃って共用することができるとともに、使用者の体力によって運動の負荷を異なるように調節することができて、これを自分の体力に合わせるように調節して、下半身運動ができる有用な效果を有する。
【００２２】
また、本発明は、左側ペダル及び右側ペダルが一つのベースプレートに回転可能に附着されているので、部品数を低減することができ、構造的にも単純化されて、製品の製造コストを低減することによって、消費者が大きな負担なく、気軽に購入して使用することができ、自分の体力に合わせて運動強度を調節することができ、指圧突起も自分の体の特性に合わせて指圧突起の位置及び指圧強度を調節することができるなどの效果を奏する。
【００２３】
本発明の特徴及び利点は添付図面に基づいた以下の詳細な説明によってさらに明確になる。これに先立って、本明細書及び請求の範囲に用いられた用語や単語は通常で辞書的な意味に解釈されてはならなく、発明者がその自分の発明を最も最善な方法で説明するために、用語の概念を適切に定義することができるという原則に即して、本発明の技術思想に符合する意味と概念に解釈すべきである。
【図面の簡単な説明】
【００２４】
【図１】本発明の一実施形態による下半身運動装置の分解斜視図。
【図２】本発明の一実施形態による下半身運動装置の結合斜視図。
【図３】図２で回転フレームが固定された状態の斜視図。
【図４】本発明の一実施形態による下半身運動装置の側断面図で、回転フレームが解除された状態。
【図５】本発明の一実施形態による下半身運動装置の側断面図で、回転フレームが固定された状態。
【図６】本発明の一実施形態による踏み台調節具の調節状態を示した断面図。
【図７】本発明の一実施形態による踏力調節装置の調節状態を示した断面図。
【図８】本発明の一実施形態による下半身運動装置に足を載せた状態で段階的に押す状態を順次に示した断面図。
【図９】本発明の他の実施形態による着座式下半身運動装置の斜視図。
【図１０】図９に示された着座式下半身運動装置の要部分解斜視図。
【図１１】本発明の他の実施形態による着座式下半身運動装置の平面図。
【図１２】本発明の他の実施形態による着座式下半身運動装置の側面図。
【図１３】本発明の他の実施形態による着座式下半身運動装置の側断面図。
【図１４】本発明の他の実施形態による着座式下半身運動装置の使用状態図。
【図１５】図９の他の実施形態を示した踏み台の断面図。
【図１６】本発明の他の実施形態による着座式下半身運動装置を示した斜視図。
【発明を実施するための形態】
【００２５】
以下、本発明を限定しない好ましい実施形態を添付された図面によって詳しく説明する。
【００２６】
図１は本発明の一実施形態による下半身運動装置の分解斜視図であり、図２及び図３は本発明による下半身運動装置の結合斜視図で、回転フレームの解除及び固定状態をそれぞれ示しており、図４及び図５はそれぞれ図２及び図３の状態における側断面図である。
【００２７】
上記図１乃至図５に示したように、本発明の下半身運動装置は、底に置かれるベースプレート１０と；このベースプレート１０の一側に一端が回転可能にピン結合され、他端にはそれぞれ踏み台２２ａ、２２ｂが附着された複数の回転フレーム２０ａ、２０ｂと；上記ベースプレート１０と回転フレーム２０ａ、２０ｂとの間に設置されて、外力によって回転フレーム２０が押されて、ベースプレート１０の側に回転され、外力が除去されると、回転フレーム２０を原位置に押し上げる複数のスプリングで構成される反発部材３０ａ、３０ｂと；上記反発部材３０ａ、３０ｂの反発力を調節して、踏み台２２ａ、２２ｂの踏力を調節する踏力調節手段４０と；を含む。
【００２８】
本実施形態による下半身運動装置は、上記踏み台２２ａ、２２ｂの間の幅を調節する踏み台調整具５０と、使用しない時、回転フレーム２０ａ、２０ｂをベースプレート１０の方に密着固定させるラッチ６０とが備えられている。
【００２９】
本実施形態では、上記反発部材３０ａ、３０ｂが図面に示されたようなトーションスプリングの場合を説明しているが、本発明は、上記反発部材をトーションスプリングの代わりに、ベースプレート１０の上面と回転フレーム２０ａ、２０ｂの底面との間に斥力を発揮する磁石を用いることもでき、磁石を用いる場合には、磁石の磁力を他のものに取り替えたり、距離を調節することによって踏力を調節することができ、このような変形は本発明の権利の範囲に属する。
【００３０】
上記ベースプレート１０は、その一側に回転フレーム２０ａ、２０ｂを固定するための軸孔１１が形成されていて、支持軸１２によってヒンジ結合され、この支持軸１２には反発部材３０ａ、３０ｂの中間部が嵌められて、金属材からなる支持軸１２と反発部材３０ａ、３０ｂが直接接触することを防止するとともに、反発部材３０ａ、３０ｂの圧縮及び復元の時、円滑に動作するように合成樹脂からなるボビン型ワッシャー１３が嵌められる。
【００３１】
また、上記ベースプレート１０の先端部の上面には、回転フレーム２０ａ、２０ｂの先端が押される時衝撃音が発生しないように、緩衝パッド１４が嵌められる溝１５が形成されており、この溝１５は、ベースプレート１０に回転フレーム２０ａ、２０ｂを軸結合させる時反発部材３０ａ、３０ｂに負荷を加えないで組み立てることができる空間を提供するが、これは回転フレーム２０ａ、２０ｂの先端部をこの上記緩衝パッド１４が嵌められていない状態の溝１５に挿入すると、回転フレーム２０ａ、２０ｂがベースプレート１０と最大に開けられた状態で組み立てられるので、反発部材３０ａ、３０ｂが押されない状態で組み立てることができるからである。
【００３２】
上記回転フレーム２０ａ、２０ｂは、前側の相対的に短い回転フレーム２０ａが後側の相対的に長い回転フレーム２０ｂの内側に収容される形態に形成されており、その先端は上記したように共通の支持軸１２に軸結合されて回転する。
【００３３】
上記回転フレーム２０ａ、２０ｂの後端部には、それぞれ踏み台２２ａ、２２ｂが回転可能にヒンジ結合されており、その中、前側の踏み台２２ａは前後に位置の移動が可能に設置されており、後側の踏み台２２ｂは元の位置に固定された状態でヒンジ結合されている。
【００３４】
従って、本発明の運動装置は使用者の足の大きさが異なる場合、上記足裏の前部分に当たる踏み台２２ａを前方に移動させて、足の大きい人に合わせたり、踏み台２２ａを後に移動させて、足の小さい人に合わせることができて、多くの人が共用することができる。
【００３５】
一方、上記前側の回転フレーム２０ａの後端下部には、前方に向かって開放された係止部２３が形成されており、この係止部２３は、後述するラッチ６０によってベースプレート１０に密着された状態で固定することができる。また、上記後側の回転フレーム２０ｂの後端下部には、踏み台２２ｂが押される時、回転フレーム２０ｂがベースプレート１０に接触される時発生する衝撃と騷音を防止するための緩衝パッド２４が附着されている。
【００３６】
上記踏み台２２ａ、２２ｂは、図面に示したように、運動の時、足裏を指圧するための指圧突起２５を形成したり、磁石２６を附着することが好ましいが、この指圧突起２５は個別または部分的に踏み台２２ａ、２２ｂから分離可能にすることによって、この指圧突起を使用者の足の大きさに合うように調節したり、使用者ごとに所望の互いに異なる指圧位置に指圧突起を移動して附着することができる。また、上記踏み台２２ａ、２２ｂは適正な支持力を保有した状態で回転されることができるように、下部に支持部材２７が支えている。
【００３７】
上記支持部材２７は、図面に示したように、長蛇状の弾性素材で製作したり、踏み台２２ａ、２２ｂの前後の底面と回転フレーム２０ａ、２０ｂの上面との間に斥力を発揮する磁石を附着することでも可能である。
【００３８】
上記反発部材３０ａ、３０ｂは、運動の時には、図４に示したように、ベースプレート１０の上面１１に対して、広い角度に開けることができ、保管の時には、図５に示したように、ベースプレート１０の上面１１になるべく密着した状態、即ち、小さな角度に折り畳まれることができるように、その一端がベースプレート１０の下部に、前後に位置調整が可能な固定台４１の上部に備えられた嵌込溝４１ａに一端が固定され、この固定台２０は、踏力調節手段４０によってベースプレート１０の下部から前後に位置が移動されて、反発部材３０ａ、３０ｂの捻れ角を変化させることによって、回転フレーム２０ａ、２０ｂに加えられる弾性力を弱くしたり、強く調節することができる。
【００３９】
一方、上記反発部材３０ａ、３０ｂは、スプリング用鋼線を使用して製作したもので、この反発部材３０ａ、３０ｂの強度は３０ｂ＞３０ｃになるようにすることによって、初めに力を加える足裏の前と中間部分の踏み台２２ａは大きく力を加えても良いが、踵の部分の踏み台２２ｂをより大きい力で押して下降するようにすることが好ましい。
【００４０】
上記踏力調節手段４０は、図面に示したように、反発部材３０ａ、３０ｂの一端が嵌められる嵌込溝４１ａが形成された固定台４１の後方にボルト４２が附着され、このボルト４２はベースプレート１０の底面に形成されたガイド溝４３の後壁４４に穿孔された孔４５を貫通し、この孔４５の外側に摘みナット４６が結合されて、この摘みナット４６を回転させることによって、ボルト４２が附着された固定台４１が上記ガイド溝４３の前後に位置移動されるようになり、固定台４１が前方から後方に移動するほど反発部材３０ａ、３０ｂの開け角が狭くなることによって、回転フレーム２０ａ、２０ｂを押し上げる力が強くなって、踏み台２２ａ、２２ｂの踏力をさらに強く調節することができ、反対方向に移動されると、踏み台２２ａ、２２ｂの踏力を弱めることができる。図面で符号７０はカバーである。
【００４１】
上記踏み台調整具５０も、上記踏力調節手段４０と似たようなねじ調節方式で構成され、これは踏み台２２ａの下部に回転可能に結合される移動体５２と；この移動体５２の下部に前後方向に貫通して形成されたナット５４と；上記回転フレーム２０ａの後方に露出して設置されて、上記ナット５４に軸結合される摘み附着型ボルト５６と；を含む。
【００４２】
上記ラッチ６０はベースプレート１０の中間部分に形成されたガイド溝６１に沿って前後方向に位置の移動が可能に設置されるが、両外側には把持部６２が形成され、中間部に上記回転フレーム２０ａの後端下部に形成された係止部２３が係止される係止突起６４が形成されて、上記ベースプレート１０の中間部に形成されたガイド溝６１に沿って前後方向に位置の移動が可能に設置され、上記ベースプレート１０には、上記回転フレーム２０ａの係止部２３が挿入される長溝６６が前後方向に長く形成される。図面で、未説明符号６７はガイド溝６１に嵌められたラッチ６０が任意に離脱されることを防止するためのキャップである。
【００４３】
図８は本発明による下半身運動装置に足を載せた状態で段階的に押す状態を示した断面図で、まず、本発明による運動装置は、使用者が椅子に座って、腰を真っ直ぐに伸ばした状態で、左、右の両足を本発明の運動装置の上にそれぞれ載せた状態で、自転車のペダルを踏むように、左右交互に踏んだり、または、左、右両足を同時に踏めば良いが、初めは足裏の前部分の踏み台２０ａのみが押された状態で、足に大きく力を加えない状態であり、その次は足裏の前部分と足裏の後部分を一緒に押して、２つの踏み台２２ａ、２２ｂが押される。
【００４４】
従って、運動者は足裏の前と中間部分で力を加え、最終には踵部分までともに力を加えながら踏み台２２ａ、２２ｂを踏み押すので、下半身の全ての筋肉を動員して運動させる。
【００４５】
即ち、本発明の運動装置は単に踏み台を押すのではなく、足裏の前部分の五つの足指と足裏の中間部分及び踵に至るまで、これら全体に力を加えて踏み台２２ａ、２２ｂを押さなければならないので、足裏に連結された筋肉全体が同時に使われることはもちろん、足首を動かすための足筋肉まで全部動員されるので、座った状態で下半身運動をすることができる。
【００４６】
また、本発明の上記した下半身運動とともに足裏が指圧突起によって自動に指圧されるので、足裏に位置した指圧ツボを刺激することによって、指圧效果を得ることができるので、新陳代謝の活性化及び上半身と下半身との間の血液循環を円滑にさせ、これにより下半身肥満の解消に役に立つとともに、腹筋と脊椎部分の筋肉までも強化されて、座った姿勢を真っ直ぐに維持するのにも役に立つ。
【００４７】
以下、本発明による他の実施形態を添付された図面によって詳しく説明する。
【００４８】
図９乃至図１３に本発明による着座式下半身運動装置が示されているが、本発明は底に置かれるベースプレート１０`と；このベースプレート１０`の前方の上部に水平に附着される固定軸２０`と；この固定軸２０`の左、右両側にそれぞれ回転可能に結合されるペダル３０`と；上記固定軸２０`に嵌められて、両端がそれぞれ上記ペダル３０`とベースプレート１０`に載置されて、ペダル３０`が上げられた状態を維持するようにするトーションスプリング４０ａ`、４０ｂ`と；を含む。
【００４９】
上記左側ペダル及び右側ペダル３０`は長さが相対的に長い第１ペダル３０ａ`と、長さが相対的に短い第２ペダル３０ｂ`とで構成され、第１ペダル３０ａ`の上部には足裏の後部分が載せられる後踏み台３１`が回転可能に附着され、第２ペダル３０ｂ`の後方の上部には足裏の前部分が載せられる前踏み台３２`が回転可能に附着されている。
【００５０】
上記第１ペダル３０ａ`と第２ペダル３０ｂ`の先端には、固定軸２０`に分離可能に結合される軸ボルト２２`に嵌められる孔３４`、３５`が側方向に穿孔されており、上記軸ボルト２２`の先端には雄ねじ部２３`が形成されており、上記固定軸２０`には雌ねじ部２１`が形成されている。
【００５１】
本実施形態で、上記踏み台３１`、３２`には足裏の指圧ツボを押すための指圧突起３３`が附着されているが、この指圧突起３３`は図面に示すような単純突起形に製作されることもできるが、本発明はこれに限定されないで、図１５に示したように、スプリング３６`の弾性によって指圧突起３３`の指圧力が調節可能にすることもできるが、図１５の断面図に示された実施形態で指圧突起３３`は踏み台３１`から分離可能であり、上記スプリング３６`は圧縮コイル型スプリングからなり、指圧強度を高めるためには、スプリング３６`の強度の強いものを選択して組立てれば良く、上記指圧突起３３`の大きさも多様に製作して、足裏の位置ごとにそれぞれ異なる高さの指圧突起３３`を設置して使えば良い。
【００５２】
図１５に示された実施形態で、踏み台３１`は、上板３１ａ`と中間板３１ｂ`及び下板３１ｃ`で構成されており、上板３１ａ`には指圧突起３３`とスプリング３６`とが設置される突起設置溝３１ｄ`が形成され、上板３１ａ`と中間板３１ｂ`は、弾性突起３１１と係止突起３１２とによって容易に分離することができるように結合され、中間板３１ｂ`が被せられた上板３１ａ`は下板３１ｃ`にボルト３１ｅ`で固定される。
【００５３】
一方、本実施形態で、上記指圧突起とスプリングの設置構造は、図面に示されたものに限定されないで、本発明の属する技術分野で通常の知識を有する者が本発明の技術思想内で多様な変形が可能であることは勿論である。
【００５４】
本発明で、上記指圧突起３３`はスプリング３６`の代わりにクッション性を有するゴムや軟質シリコーンまたは軟質プラスチックを使用することもできる。
【００５５】
一方、上記第１ペダル３０ａ`とベースプレート１０`との間に設置されるトーションスプリング４０ａ`は、ベースプレート１０`の内側に備えられた弾性力調節手段５０`によって、多段階に弾性力が調節されて、運動強度を調節することができるようになっているが、この弾性力調節手段５０`は、図１３の側断面図から分かるように、上端に摘み５１`が附着され、下端にギア部５２`が形成されたレバー５３`と、このレバー５３`のギア部５２`に噛み合うラックギア部５４`が一側に形成され、他側には上記トーションスプリング４０ａ`の一端を支える支持部５５`が階段状に形成されたスライダー５６`とを含む。
【００５６】
上記弾性力調節手段５０`は、図面に示されたレバー方式に限定されないで、トーションスプリング４０ａ`の弾性力を調節することができる方式であれば、どの方式でも使用することができる。
【００５７】
上記弾性力調節手段５０`による運動強度の調節方法は、図１３の側断面図から分かるように、レバー５３`を前方へ押せば、スライダー５６`が漸次に進んでトーションスプリング４０ａ`の一端を支えていた支持部５５`の位置の高い方に変更され、これによってトーションスプリング４０ａ`のトーションが増大されて、第１ペダル３０ａ`をより強い力で持ち上げ、使用者は、第１ペダル３０ａ`に加えられる力をそれだけ増大させて押さなければならないので、運動強度を高めることができる。
【００５８】
上記とは反対に、運動強度を弱めるためには、レバー５３`を後方へ押せばスライダー５６`が後進して、支持部５５`の高さの低い方に移動されるので、トーションスプリング４０ａ`のトーションが弱まって、相対的に少ない力でペダルを押すことができる。図面で、符号１２はベースプレート１０`の左右側に分離可能に結合される支持台で、運動の時、傾けられることを防止する役割を果たす。
【００５９】
図１６は本発明の他の実施形態による着座式下半身運動装置を示した斜視図であり、ペダルの操作数を検出するカウンターｓを追加して構成して、使用者が運動量を確認することができるようにしたものである。この時、上記カウンターｓは上記ペダルの下部側に設置された接触感知センサー（未図示）を通じて感知されたペダルをカウンティングすることによって、ペダルの昇降動作による運動量を数字で表現するようにしたもので、このようなカウンターは公知の技術によって実施しても構わないので、詳細な説明は省略する。
【００６０】
一方、本発明は記載された実施形態に限定されるのではなく、本発明の思想及び範囲を逸脱しないで、多様に修正及び変形することができることは、当該技術の分野で通常の知識を有する者にとって自明である。よって、このような修整例または変形例は本発明の特許請求の範囲に属するとすべきである。
【符号の説明】
【００６１】
１０、１０`：ベースプレート            
１１：軸孔    
１２：支持軸
１３：ボビン型ワッシャー    
１４：緩衝パッド    
１５：溝
２０`：固定軸
２１`：雌ねじ部    
２０ａ、２０ｂ：回転フレーム
２２ａ、２２ｂ：踏み台    
２２`：軸ボルト
２３`：雄ねじ部
２３：係止部        
２４：緩衝パッド    
２５：指圧突起
２６：磁石      
２７：支持部材        
３０`：ペダル
３０ａ`：第１ペダル                    
３０ｂ`：第２ペダル    
３０ａ、３０ｂ：反発部材
３１`：後踏み台    
３１ａ`：上板      
３１ｂ`：中間板
３１ｃ`：下板      
３１ｄ`：突起設置溝  
３１ｅ`：ボルト
３２`：前踏み台    
３３`：指圧突起    
３４`、３５`：孔
３６`：スプリング  
４０：踏力調節手段
４０ａ`、４０ｂ`：トーションスプリング
４１：固定台      
４１ａ：嵌込溝              
４２：ボルト
４３：ガイド溝                    
４４：後壁    
４５：孔
４６：摘みナット    
５０：踏み台調節具    
５０`：弾性力調節手段
５１`：摘み    
５２：移動体      
５２`：ギア部
５３`：レバー      
５４：ナット                              
５４`：ラックギア
５５`：支持部                        
５６`：スライダー    
５６：摘み附着型ボルト
６０：ラッチ      
６１：ガイド溝    
６２：把持部
６４：係止突起      
６６：長溝      
６７：キャップ
７０：カバー      
３１１：弾性突起    
３１２：係止突起
ｓ：カウンター
【図１】
2010536466.tif 000003
【図２】
2010536466.tif 000004
【図３】
2010536466.tif 000005
【図４】
2010536466.tif 000006
【図５】
2010536466.tif 000007
【図６】
2010536466.tif 000008
【図７】
2010536466.tif 000009
【図８】
2010536466.tif 000010
【図９】
2010536466.tif 000011
【図１０】
2010536466.tif 000012
【図１１】
2010536466.tif 000013
【図１２】
2010536466.tif 000014
【図１３】
2010536466.tif 000015
【図１４】
2010536466.tif 000016
【図１５】
2010536466.tif 000017
【図１６】
2010536466.tif 000018
【国際調査報告】
2010536466.tif 000019
2010536466.tif 000020